(57)【要約】      （修正有）【課題】顧客に荷物の到着を効率的に通知する。【解決手段】情報処理装置１００であって、所定の順序に従って荷物を搬送する搬送台３１０、及び該搬送台の搬送方向に従った配列順に設けられた複数のタグリーダーを備える荷物搬送台システムから、前記タグリーダーを特定するリーダー特定情報を受け付ける情報受付部２１８と、前記タグリーダーの配列順を含むリーダー設置情報を格納する記憶部と、前記荷物の預け主である顧客に対する該荷物の接近を検知する接近検知部２１３と、を備え、前記接近検知部は、前記荷物に付された荷物タグを読み取った前記タグリーダーを特定する前記リーダー特定情報と、前記顧客の有する顧客タグを読み取った前記タグリーダーを特定する前記リーダー特定情報と、前記リーダー設置情報と、に基づいて、接近を検知する。【選択図】図１
2014205563.tif 000002
【特許請求の範囲】
【請求項１】
所定の順序に従って荷物を搬送する搬送台、及び該搬送台の搬送方向に従った配列順に設けられた複数のタグリーダーを備える荷物搬送台システムから、前記タグリーダーを特定するリーダー特定情報を受け付ける情報受付部と、
前記タグリーダーの配列順を含むリーダー設置情報を格納する記憶部と、
前記荷物の預け主である顧客に対する該荷物の接近を検知する接近検知部と、を備え、
前記接近検知部は、
前記荷物に付された荷物タグを読み取った前記タグリーダーを特定する前記リーダー特定情報と、前記顧客の有する顧客タグを読み取った前記タグリーダーを特定する前記リーダー特定情報と、前記リーダー設置情報と、に基づいて、接近を検知する、
ことを特徴とする情報処理装置。
【請求項２】
請求項１に記載する情報処理装置であって、
前記接近検知部は、
前記荷物タグを読み取った前記タグリーダーから、前記顧客タグを読み取った前記タグリーダーまでの間の前記配列順における前記タグリーダーの数が所定数未満の場合に、接近を検知することを特徴とする情報処理装置。
【請求項３】
請求項１又は２に記載する情報処理装置であって、
前記接近検知部は、前記顧客タグと前記荷物タグとの接近を検知すると、前記顧客タグを読み取った前記タグリーダーを指定した接近検知情報を前記荷物搬送台システムに通知し、前記接近検知情報において指定された前記タグリーダーから所定距離内に設置される報知装置を用いて前記顧客に対して前記荷物の接近を報知させることを特徴とする、情報処理装置。
【請求項４】
請求項１から３のいずれか一項に記載する情報処理装置であって、
前記荷物搬送台システムから受信した、前記顧客タグを読み取った前記タグリーダーを特定する前記リーダー特定情報と、前記荷物タグを読み取った前記タグリーダーを特定する前記リーダー特定情報とに基づいて、複数の前記タグリーダーが順次前記荷物タグを読み取る経過を示す経過情報を表示する表示情報を生成する表示情報生成部を備えることを特徴とする情報処理装置。
【請求項５】
ネットワークを介して接続される出口ゲートシステムから、顧客に配布される顧客タグを特定する顧客タグ特定情報及び顧客が預ける荷物に付される荷物タグを特定する荷物タグ特定情報を受け付ける情報受付部と、
前記情報受付部か受け付けた前記顧客タグ特定情報及び前記荷物タグ特定情報に基づいて、前記顧客が荷物を取り忘れたことを示す荷物取り忘れ情報を前記出口ゲートシステムに通知する出口エラー通知部と、を備え、
前記情報受付部は、前記出口ゲートシステムが備えるゲート側タグリーダーにより読み取られた、前記顧客タグに係る前記顧客タグ特定情報と、前記荷物タグに係る前記荷物タグ特定情報と、を受け付け、
前記出口エラー通知部は、前記ゲート側タグリーダーが前記顧客タグを読み取った時点を基準とする所定時間内に、該顧客タグに係る前記顧客が預けたすべての前記荷物に添付された前記荷物タグが前記ゲート側タグリーダーに読み取られた場合に前記荷物の取り忘れがないと判定し、それ以外の場合に前記荷物取り忘れ情報を通知することを特徴とする情報処理装置。
【請求項６】
ネットワークを介して接続される出口ゲートシステムから、顧客に配布される無線タグである顧客タグを特定する顧客タグ特定情報及び顧客が預ける荷物に添付される荷物タグを特定する荷物タグ特定情報を受け付ける情報受付部と、
前記情報受付部か受け付けた前記顧客タグ特定情報及び前記荷物タグ特定情報に基づいて、前記顧客が荷物を取り違えたことを示す荷物取り違え情報を前記出口ゲートシステムに通知する出口エラー通知部と、を備え、
前記情報受付部は、前記出口ゲートシステムが備えるゲート側タグリーダーにより読み取られた、前記顧客タグに係る前記顧客タグ特定情報と、前記荷物タグに係る前記荷物タグ特定情報と、を受け付け、
前記出口エラー通知部は、前記出口ゲートシステムが備えるゲート側タグリーダーが前記荷物タグを読み取った時点を基準とする所定時間内に、該荷物タグに係る前記荷物を預けた前記顧客に配布された前記顧客タグが前記ゲート側タグリーダーに読み取られない場合に、前記荷物取り違え情報を通知することを特徴とする情報処理装置。
【請求項７】
店舗システムとネットワークを介して接続される情報処理装置であって、
顧客を特定する顧客特定情報に該顧客が購入した商品を特定する商品特定情報を対応付けた購買履歴情報を記憶する記憶部と、
前記店舗システムが有する店舗側タグリーダーにより読み取られた、前記顧客に配布される顧客タグを特定する顧客タグ特定情報と、該顧客が購入した商品を特定する前記商品特定情報と、に基づいて前記購買履歴情報を更新する情報更新部と、
当該情報処理装置とネットワークを介して接続されるサービス券発行システムから受け付けた前記顧客特定情報に基づいて、該サービス券発行システムが備えるサービス券出力部により出力されるサービス券に関する情報であるサービス券情報を特定するサービス券情報特定部と、を備え、
前記サービス券情報特定部は、前記購買履歴情報において前記顧客特定情報と対応付けられた前記商品特定情報に基づいて、前記サービス券情報を特定することを特徴とする情報処理装置。
【請求項８】
情報処理装置と、所定の順序に従って荷物を搬送する搬送台及び複数のタグリーダーを備える荷物搬送台システムと、を含む荷物管理システムであって、
前記情報処理装置は、
前記荷物搬送台システムから、前記タグリーダーを特定するリーダー特定情報を受け付ける情報受付部と、
前記タグリーダーの配列順を含むリーダー設置情報を格納する記憶部と、
前記荷物の預け主である顧客に対する該荷物の接近を検知する接近検知部と、を備え、
前記荷物搬送台システムは、
顧客が有する顧客タグ又は顧客が預けた荷物に付される荷物タグを読み取った前記タグリーダーに係る前記リーダー特定情報を前記情報処理装置に送信する送信部と、
前記接近検知部から接近を検知したことを示す情報を受け付けると前記顧客に報知を行う報知部とを備え、
前記タグリーダーは、前記搬送台の搬送方向に従った配列順に設置され、
前記情報処理装置の前記接近検知部は、前記荷物タグを読み取った前記タグリーダーを特定する前記リーダー特定情報と、前記顧客タグを読み取った前記タグリーダーを特定する前記リーダー特定情報と、前記リーダー設置情報と、に基づいて、接近を検知する、
ことを特徴とする荷物管理システム。
【請求項９】
情報処理装置と、前記情報処理装置とネットワークを介して接続される出口ゲートシステムとを含む荷物管理システムであって、
前記出口ゲートシステムは、
顧客に配布される顧客タグを特定する顧客タグ特定情報及び前記顧客が預ける荷物に付される荷物タグを特定する荷物タグ特定情報を、ゲート側タグリーダーを用いて取得するゲート側タグ情報取得部と、
前記顧客が荷物を取り忘れたことを示す荷物取り忘れ情報を受け付けると前記顧客に報知を行うゲート側報知部とを備え、
前記情報処理装置は、
前記情報取得部が取得した前記顧客タグ特定情報及び前記荷物タグ特定情報を受け付ける情報受付部と、
前記情報受付部か受け付けた前記顧客タグ特定情報及び前記荷物タグ特定情報に基づいて、前記顧客が荷物を取り忘れたことを示す荷物取り忘れ情報を前記出口ゲートシステムに通知する出口エラー通知部とを備え、
前記出口エラー通知部は、前記ゲート側タグリーダーが前記顧客タグを読み取った時点を基準とする所定時間内に、該顧客タグに係る前記顧客が預けたすべての前記荷物に添付された前記荷物タグが読み取られた場合に前記荷物の取り忘れがないと判定し、それ以外の場合に前記荷物取り忘れ情報を通知することを特徴とする荷物管理システム。
【請求項１０】
情報処理装置と、前記情報処理装置とネットワークを介して接続される出口ゲートシステムとを含む荷物管理システムであって、
前記出口ゲートシステムは、
顧客に配布される顧客タグを特定する顧客タグ特定情報及び前記顧客が預ける荷物に付される荷物タグを特定する荷物タグ特定情報を、ゲート側タグリーダーを用いて取得するゲート側タグ情報取得部と、
前記顧客が荷物を取り違えたことを示す荷物取り違え情報を受け付けると前記顧客に報知を行うゲート側報知部とを備え、
前記情報処理装置は、
前記情報取得部が取得した前記顧客タグ特定情報及び前記荷物タグ特定情報を受け付ける情報受付部と、
前記情報受付部か受け付けた前記顧客タグ特定情報及び前記荷物タグ特定情報に基づいて、前記顧客が荷物を取り違えたことを示す荷物取り違え情報を前記出口ゲートシステムに通知する出口エラー通知部とを備え、
前記出口エラー通知部は、前記ゲート側タグリーダーが前記荷物タグを読み取った時点を基準とする所定時間内に、該荷物タグに係る前記荷物を預けた前記顧客に配布された前記顧客タグが読み取られない場合に、前記荷物取り違え情報を通知することを特徴とする荷物管理システム。
【請求項１１】
情報処理装置と、前記情報処理装置とネットワークを介して接続される、店舗システム及びサービス券発行システムを含む荷物管理システムであって、
前記店舗システムは、
顧客に配布される顧客タグを特定する顧客タグ特定情報を取得する店舗側タグ情報取得部と、
前記顧客が購入した商品を示す商品特定情報を特定する購入情報特定部とを備え、
前記情報処理装置は、
顧客を特定する顧客特定情報に該顧客が購入した商品に係る前記商品特定情報を含む購買履歴情報を対応付けて記憶する記憶部と、
前記店舗側タグ情報取得部により取得された前記顧客タグ特定情報と、前記購入情報特定部により特定された前記商品特定情報とに基づいて前記購買履歴情報を更新する情報更新部と、
前記サービス券発行システムから受け付けた前記顧客特定情報と前記購買履歴情報とに基づいて、サービス券に関する情報であるサービス券情報を特定するサービス券情報特定部とを備え、
前記サービス券発行システムは、
前記顧客特定情報を取得する顧客情報取得部と、
前記サービス券情報特定部により特定された前記サービス券情報に基づいて前記サービス券を出力するサービス券出力部とを備えることを特徴とする荷物管理システム。
【請求項１２】
制御部及び記憶部を備える情報処理装置を用いた荷物管理方法であって、
前記制御部は、
所定の順序に従って荷物を搬送する搬送台、及び該搬送台の搬送方向に従った配列順に設けられた複数のタグリーダーを備える荷物搬送台システムから、前記タグリーダーを特定するリーダー特定情報を受け付ける情報受付手順と、
前記荷物の預け主である顧客に対する該荷物の接近を検知する接近検知手順と、を実行し、
前記記憶部は、前記タグリーダーの配列順を含むリーダー設置情報を格納し、
前記接近検知手順では、
前記荷物に付された荷物タグを読み取った前記タグリーダーを特定する前記リーダー特定情報と、前記顧客の有する顧客タグを読み取った前記タグリーダーを特定する前記リーダー特定情報と、前記リーダー設置情報と、に基づいて、接近を検知する、
ことを特徴とする荷物管理方法。
【請求項１３】
コンピューターに、荷物の管理を行う手順を実行させるプログラムであって、
前記コンピューターを、制御手段と、記憶手段として機能させ、
前記記憶手段には、所定の順序に従って荷物を搬送する搬送台を備える荷物搬送台システムが備える複数のタグリーダーであって、該搬送台の搬送方向に従った配列順に設けられた前記タグリーダーの配列順を含むリーダー設置情報が格納され、
前記制御手段に対して、
前記タグリーダーを特定するリーダー特定情報を受け付ける情報受付手順と、
前記荷物の預け主である顧客に対する該荷物の接近を検知する接近検知手順と、を実行させ、
前記接近検知手順では、
前記荷物に付された荷物タグを読み取った前記タグリーダーを特定する前記リーダー特定情報と、前記顧客の有する顧客タグを読み取った前記タグリーダーを特定する前記リーダー特定情報と、前記リーダー設置情報と、に基づいて、接近を検知させる、
ことを特徴とするプログラム。
【発明の詳細な説明】
【技術分野】
【０００１】
本発明は、情報処理装置、荷物管理システム、荷物管理方法、及びプログラムに関する。
【背景技術】
【０００２】
顧客が航空会社等による輸送サービスを受ける場合に、出発地で荷物を預け、到着地で預けた荷物を受け取ることが一般的に行われている。顧客は到着地にて、ターンテーブル状の搬送台を流れてくる荷物の中から、自分の荷物を探し出して受け取る。
【０００３】
特許文献１には、出発地にて預けられた乗客の手荷物を複数のコンテナのいずれかに積載して輸送し到着地にて当該乗客に返却する手荷物管理システムに関する技術が開示されている。特許文献１に係る手荷物管理システムでは、出発地に、座席番号情報および手荷物番号情報が記憶される記憶手段と、複数の手荷物が積載されるコンテナのコンテナ番号情報をこれら各手荷物に付された手荷物番号情報とともに取得するための第１取得手段と、記憶手段にて記憶された座席番号情報と第１取得手段にて取得したコンテナ番号情報とを手荷物番号情報に基づき関連付けて手荷物管理情報を生成する生成手段と、が設けられている。そして、到着地に、コンテナに積載された各手荷物を搬送台に載せる前に、当該コンテナに付されたコンテナ番号情報を取得するための第２取得手段と、生成手段により生成された手荷物管理情報と第２取得手段により取得されたコンテナ番号情報とに基づいてコンテナに積載された各手荷物に対応する座席番号情報をそれぞれ抽出する抽出手段と、抽出手段により抽出された座席番号情報を、対応する座席に関連させて表示する表示手段と、が設けられている。
【先行技術文献】
【特許文献】
【０００４】
【特許文献１】特開２０１２−２０８０４号公報
【発明の概要】
【発明が解決しようとする課題】
【０００５】
到着地で荷物を受け取る際、顧客は自分の荷物が手元まで流れ着くタイミングが分からないため、搬送台上に絶えず目を配る必要がある。特許文献１に開示された技術でも、顧客は荷物が流れ着くタイミングを認識することができない。
【０００６】
本発明は、上記の点に鑑みてなされたものであって、顧客に荷物の到着を効率的に通知することのできる技術の提供を目的とする。
【課題を解決するための手段】
【０００７】
本願は、上記課題を解決する手段を複数含んでいるが、その例を挙げるならば、以下の通りである。
【０００８】
上記課題を解決するため、本発明の情報処理装置は、所定の順序に従って荷物を搬送する搬送台、及び該搬送台の搬送方向に従った配列順に設けられた複数のタグリーダーを備える荷物搬送台システムから、前記タグリーダーを特定するリーダー特定情報を受け付ける情報受付部と、前記タグリーダーの配列順を含むリーダー設置情報を格納する記憶部と、前記荷物の預け主である顧客に対する該荷物の接近を検知する接近検知部と、を備え、前記接近検知部は、前記荷物に付された荷物タグを読み取った前記タグリーダーを特定する前記リーダー特定情報と、前記顧客の有する顧客タグを読み取った前記タグリーダーを特定する前記リーダー特定情報と、前記リーダー設置情報と、に基づいて、接近を検知する、ことを特徴とする。
【０００９】
また、上記課題を解決するため、本発明の情報処理装置の接近検知部は、前記荷物タグを読み取った前記タグリーダーから、前記顧客タグを読み取った前記タグリーダーまでの間の前記配列順における前記タグリーダーの数が所定数未満の場合に、接近を検知することを特徴としてもよい。
【００１０】
また、上記課題を解決するため、本発明の情報処理装置の接近検知部は、前記顧客タグと前記荷物タグとの接近を検知すると、前記顧客タグを読み取った前記タグリーダーを指定した接近検知情報を前記荷物搬送台システムに通知し、前記接近検知情報において指定された前記タグリーダーから所定距離内に設置される報知装置を用いて前記顧客に対して前記荷物の接近を報知させることを特徴としてもよい。
【００１１】
また、上記課題を解決するため、本発明の情報処理装置は、前記荷物搬送台システムから受信した、前記顧客タグを読み取った前記タグリーダーを特定する前記リーダー特定情報と、前記荷物タグを読み取った前記タグリーダーを特定する前記リーダー特定情報とに基づいて、複数の前記タグリーダーが順次前記荷物タグを読み取る経過を示す経過情報を表示する表示情報を生成する表示情報生成部を備えることを特徴としてもよい。
【００１２】
また、上記課題を解決するため、本発明の情報処理装置は、ネットワークを介して接続される出口ゲートシステムから、顧客に配布される顧客タグを特定する顧客タグ特定情報及び顧客が預ける荷物に付される荷物タグを特定する荷物タグ特定情報を受け付ける情報受付部と、前記情報受付部か受け付けた前記顧客タグ特定情報及び前記荷物タグ特定情報に基づいて、前記顧客が荷物を取り忘れたことを示す荷物取り忘れ情報を前記出口ゲートシステムに通知する出口エラー通知部と、を備え、前記情報受付部は、前記出口ゲートシステムが備えるゲート側タグリーダーにより読み取られた、前記顧客タグに係る前記顧客タグ特定情報と、前記荷物タグに係る前記荷物タグ特定情報と、を受け付け、前記出口エラー通知部は、前記ゲート側タグリーダーが前記顧客タグを読み取った時点を基準とする所定時間内に、該顧客タグに係る前記顧客が預けたすべての前記荷物に添付された前記荷物タグが前記ゲート側タグリーダーに読み取られた場合に前記荷物の取り忘れがないと判定し、それ以外の場合に前記荷物取り忘れ情報を通知することを特徴としてもよい。
【００１３】
また、上記課題を解決するため、本発明の情報処理装置は、ネットワークを介して接続される出口ゲートシステムから、顧客に配布される無線タグである顧客タグを特定する顧客タグ特定情報及び顧客が預ける荷物に添付される荷物タグを特定する荷物タグ特定情報を受け付ける情報受付部と、前記情報受付部か受け付けた前記顧客タグ特定情報及び前記荷物タグ特定情報に基づいて、前記顧客が荷物を取り違えたことを示す荷物取り違え情報を前記出口ゲートシステムに通知する出口エラー通知部と、を備え、前記情報受付部は、前記出口ゲートシステムが備えるゲート側タグリーダーにより読み取られた、前記顧客タグに係る前記顧客タグ特定情報と、前記荷物タグに係る前記荷物タグ特定情報と、を受け付け、前記出口エラー通知部は、前記出口ゲートシステムが備えるゲート側タグリーダーが前記荷物タグを読み取った時点を基準とする所定時間内に、該荷物タグに係る前記荷物を預けた前記顧客に配布された前記顧客タグが前記ゲート側タグリーダーに読み取られない場合に、前記荷物取り違え情報を通知することを特徴としてもよい。
【００１４】
また、上記課題を解決するため、本発明の情報処理装置は、店舗システムとネットワークを介して接続される情報処理装置であって、顧客を特定する顧客特定情報に該顧客が購入した商品を特定する商品特定情報を対応付けた購買履歴情報を記憶する記憶部と、前記店舗システムが有する店舗側タグリーダーにより読み取られた、前記顧客に配布される顧客タグを特定する顧客タグ特定情報と、該顧客が購入した商品を特定する前記商品特定情報と、に基づいて前記購買履歴情報を更新する情報更新部と、当該情報処理装置とネットワークを介して接続されるサービス券発行システムから受け付けた前記顧客特定情報に基づいて、該サービス券発行システムが備えるサービス券出力部により出力されるサービス券に関する情報であるサービス券情報を特定するサービス券情報特定部と、を備え、前記サービス券情報特定部は、前記購買履歴情報において前記顧客特定情報と対応付けられた前記商品特定情報に基づいて、前記サービス券情報を特定することを特徴としてもよい。
【００１５】
また、上記課題を解決するため、本発明は、情報処理装置と、所定の順序に従って荷物を搬送する搬送台及び複数のタグリーダーを備える荷物搬送台システムと、を含む荷物管理システムであって、前記情報処理装置は、前記荷物搬送台システムから、前記タグリーダーを特定するリーダー特定情報を受け付ける情報受付部と、前記タグリーダーの配列順を含むリーダー設置情報を格納する記憶部と、前記荷物の預け主である顧客に対する該荷物の接近を検知する接近検知部と、を備え、前記荷物搬送台システムは、顧客が有する顧客タグ又は顧客が預けた荷物に付される荷物タグを読み取った前記タグリーダーに係る前記リーダー特定情報を前記情報処理装置に送信する送信部と、前記接近検知部から接近を検知したことを示す情報を受け付けると前記顧客に報知を行う報知部とを備え、前記タグリーダーは、前記搬送台の搬送方向に従った配列順に設置され、前記情報処理装置の前記接近検知部は、前記荷物タグを読み取った前記タグリーダーを特定する前記リーダー特定情報と、前記顧客タグを読み取った前記タグリーダーを特定する前記リーダー特定情報と、前記リーダー設置情報と、に基づいて、接近を検知する、ことを特徴としてもよい。
【００１６】
また、上記課題を解決するため、本発明は、情報処理装置と、前記情報処理装置とネットワークを介して接続される出口ゲートシステムとを含む荷物管理システムであって、前記出口ゲートシステムは、顧客に配布される顧客タグを特定する顧客タグ特定情報及び前記顧客が預ける荷物に付される荷物タグを特定する荷物タグ特定情報を、ゲート側タグリーダーを用いて取得するゲート側タグ情報取得部と、前記顧客が荷物を取り忘れたことを示す荷物取り忘れ情報を受け付けると前記顧客に報知を行うゲート側報知部とを備え、前記情報処理装置は、前記情報取得部が取得した前記顧客タグ特定情報及び前記荷物タグ特定情報を受け付ける情報受付部と、前記情報受付部か受け付けた前記顧客タグ特定情報及び前記荷物タグ特定情報に基づいて、前記顧客が荷物を取り忘れたことを示す荷物取り忘れ情報を前記出口ゲートシステムに通知する出口エラー通知部とを備え、前記出口エラー通知部は、前記ゲート側タグリーダーが前記顧客タグを読み取った時点を基準とする所定時間内に、該顧客タグに係る前記顧客が預けたすべての前記荷物に添付された前記荷物タグが読み取られた場合に前記荷物の取り忘れがないと判定し、それ以外の場合に前記荷物取り忘れ情報を通知することを特徴としてもよい。
【００１７】
また、上記課題を解決するため、本発明は、情報処理装置と、前記情報処理装置とネットワークを介して接続される出口ゲートシステムとを含む荷物管理システムであって、前記出口ゲートシステムは、顧客に配布される顧客タグを特定する顧客タグ特定情報及び前記顧客が預ける荷物に付される荷物タグを特定する荷物タグ特定情報を、ゲート側タグリーダーを用いて取得するゲート側タグ情報取得部と、前記顧客が荷物を取り違えたことを示す荷物取り違え情報を受け付けると前記顧客に報知を行うゲート側報知部とを備え、前記情報処理装置は、前記情報取得部が取得した前記顧客タグ特定情報及び前記荷物タグ特定情報を受け付ける情報受付部と、前記情報受付部か受け付けた前記顧客タグ特定情報及び前記荷物タグ特定情報に基づいて、前記顧客が荷物を取り違えたことを示す荷物取り違え情報を前記出口ゲートシステムに通知する出口エラー通知部とを備え、前記出口エラー通知部は、前記ゲート側タグリーダーが前記荷物タグを読み取った時点を基準とする所定時間内に、該荷物タグに係る前記荷物を預けた前記顧客に配布された前記顧客タグが読み取られない場合に、前記荷物取り違え情報を通知することを特徴としてもよい。
【００１８】
また、上記課題を解決するため、本発明は、情報処理装置と、前記情報処理装置とネットワークを介して接続される、店舗システム及びサービス券発行システムを含む荷物管理システムであって、前記店舗システムは、顧客に配布される顧客タグを特定する顧客タグ特定情報を取得する店舗側タグ情報取得部と、前記顧客が購入した商品を示す商品特定情報を特定する購入情報特定部とを備え、前記情報処理装置は、顧客を特定する顧客特定情報に該顧客が購入した商品に係る前記商品特定情報を含む購買履歴情報を対応付けて記憶する記憶部と、前記店舗側タグ情報取得部により取得された前記顧客タグ特定情報と、前記購入情報特定部により特定された前記商品特定情報とに基づいて前記購買履歴情報を更新する情報更新部と、前記サービス券発行システムから受け付けた前記顧客特定情報と前記購買履歴情報とに基づいて、サービス券に関する情報であるサービス券情報を特定するサービス券情報特定部とを備え、前記サービス券発行システムは、前記顧客特定情報を取得する顧客情報取得部と、前記サービス券情報特定部により特定された前記サービス券情報に基づいて前記サービス券を出力するサービス券出力部とを備えることを特徴としてもよい。
【００１９】
また、上記課題を解決するため、本発明の荷物管理方法は、制御部及び記憶部を備える情報処理装置を用いた荷物管理方法であって、前記制御部は、所定の順序に従って荷物を搬送する搬送台、及び該搬送台の搬送方向に従った配列順に設けられた複数のタグリーダーを備える荷物搬送台システムから、前記タグリーダーを特定するリーダー特定情報を受け付ける情報受付手順と、前記荷物の預け主である顧客に対する該荷物の接近を検知する接近検知手順と、を実行し、前記記憶部は、前記タグリーダーの配列順を含むリーダー設置情報を格納し、前記接近検知手順では、前記荷物に付された荷物タグを読み取った前記タグリーダーを特定する前記リーダー特定情報と、前記顧客の有する顧客タグを読み取った前記タグリーダーを特定する前記リーダー特定情報と、前記リーダー設置情報と、に基づいて、接近を検知する、ことを特徴としてもよい。
【００２０】
また、上記課題を解決するため、本発明のプログラムは、コンピューターに、荷物の管理を行う手順を実行させるプログラムであって、前記コンピューターを、制御手段と、記憶手段として機能させ、前記記憶手段には、所定の順序に従って荷物を搬送する搬送台を備える荷物搬送台システムが備える複数のタグリーダーであって、該搬送台の搬送方向に従った配列順に設けられた前記タグリーダーの配列順を含むリーダー設置情報が格納され、前記制御手段に対して、前記タグリーダーを特定するリーダー特定情報を受け付ける情報受付手順と、前記荷物の預け主である顧客に対する該荷物の接近を検知する接近検知手順と、を実行させ、前記接近検知手順では、前記荷物に付された荷物タグを読み取った前記タグリーダーを特定する前記リーダー特定情報と、前記顧客の有する顧客タグを読み取った前記タグリーダーを特定する前記リーダー特定情報と、前記リーダー設置情報と、に基づいて、接近を検知させる、ことを特徴としてもよい。
【発明の効果】
【００２１】
本発明によれば、顧客に荷物の到着を効率的に通知することのできる技術を提供することができる。
【００２２】
上記した以外の課題、構成、及び効果は、以下の実施形態の説明により明らかにされる。
【図面の簡単な説明】
【００２３】
【図１】本実施形態における荷物管理システムの概要を示す図である。
【図２】乗客データベースの一例を示す図である。
【図３】タグデータベースの一例を示す図である。
【図４】購買履歴データベースの一例を示す図である。
【図５】リーダー設置データベースの一例を示す図である。
【図６】情報処理装置のハードウェア構成例を示す図である。
【図７】ピックアップシステムのハードウェア構成例を示す図である。
【図８】出口ゲートシステムのハードウェア構成例を示す図である。
【図９】タグ作成処理を示すフローチャートである。
【図１０】ピックアップシステムにおいて荷物の接近を報知する処理を示すフローチャートである。
【図１１】ピックアップシステムの概要を示す図である。
【図１２】接近検知部の接近検知処理を示すフローチャート（その１）である。
【図１３】接近検知部の接近検知処理を示すフローチャート（その２）である。
【図１４】ピックアップシステムの変形例の概要を示す図である。
【図１５】出口エラー通知部によるタグ対応処理を示すフローチャートである。
【図１６】出口エラー通知部による出口エラー通知処理を示すフローチャートである。
【図１７】店舗システムにおける搭乗便情報出力処理の流れを示すシーケンス図である。
【図１８】購入情報更新処理の流れを示すシーケンス図である。
【図１９】サービス券発行処理の流れを示すシーケンス図である。
【発明を実施するための形態】
【００２４】
以下、図面に基づいて本発明の実施形態の例を説明する。図１は、本実施形態における荷物管理システム１の概要を示す図である。以下、本実施形態の説明に必要な構成要素が示されている。
【００２５】
本実施形態の荷物管理システム１は、航空機による輸送や列車による輸送など、顧客がサービス提供者に荷物を預け、サービス提供者が顧客と荷物とを同じ到着地に輸送する場合に機能する。輸送は国際線であっても国内線であってもよい。
【００２６】
荷物管理システム１は、タグ発行システム１０と、データセンター２０と、ピックアップシステム３０と、出口ゲートシステム４０と、店舗システム５０とを備える。タグ発行システム１０と、データセンター２０と、ピックアップシステム３０と、出口ゲートシステム４０と、店舗システム５０とは、ネットワーク７０を介して接続されている。
【００２７】
タグ発行システム１０は、出発地に設置されるシステムであって、ネットワーク７０を介して接続された情報処理装置１００とプリンター１１０とを備える。情報処理装置１００とプリンター１１０とはネットワークを介して接続されている。情報処理装置１００は、例えばサーバーやＰＣ（Personal Computer）等の電子機器である。
【００２８】
プリンター１１０はＲＦＩＤ（Radio Frequency IDentification）システムにおけるＲＦタグ等の無線タグ、及び顧客に配布するサービス券を発行するプリンターである。なお、無線タグはＲＦタグに限定されず、無線で情報をやり取りするためのアンテナを有するものであればよい。
【００２９】
情報処理装置１００は、制御部１２０と、記憶部１３０とを備える。制御部１２０は、情報処理装置１００において、プリンター１１０を用いた無線タグの発行に関する処理を制御するほか、クーポン等のサービス券の発行に関する処理を制御する。記憶部１３０は、制御部１２０により実行される処理に用いる情報を格納する。
【００３０】
制御部１２０は、情報取得部１２１と、タグ／サービス券出力部１２２とを備える。情報取得部１２１は、データセンター２０の情報処理装置２００から、無線タグの発行やサービス券の発行に必要な情報を取得する。また、情報取得部１２１は、後述する入力装置を介して入力された、顧客を特定する顧客特定情報を取得する。顧客特定情報とは、例えばパスポートに記載された旅券番号、又は、姓、名及び住所等の情報である。
【００３１】
タグ／サービス券出力部１２２は、情報取得部１２１が情報処理装置２００から取得した無線タグに関する情報に基づいて、顧客に配布する無線タグと、預かった荷物に添付する無線タグとを、プリンター１１０を用いて出力する。また、タグ／サービス券出力部１２２は、情報処理装置２００から取得したサービス券に関する情報に基づいて、顧客に配布するサービス券をプリンター１１０を用いて出力する。
【００３２】
以下、顧客に配布する無線タグを顧客タグ、荷物に添付する無線タグを荷物タグとし、顧客タグを特定する情報を顧客タグ特定情報、荷物タグを特定する情報を荷物タグ特定情報として説明する。
【００３３】
次に、データセンター２０について説明する。データセンター２０は、荷物管理システム１の全体的な制御を行う。データセンター２０は、情報処理装置２００を備える。情報処理装置２００はサーバーやＰＣ等の電子機器である。
【００３４】
情報処理装置２００は、制御部２１０と、記憶部２２０とを備える。制御部２１０は、情報処理装置２００における各々の処理を制御する。記憶部２２０は、制御部２１０により実行される処理に必要な情報を格納する。
【００３５】
制御部２１０は、データベース更新部２１１と、タグ情報作成部２１２と、接近検知部２１３と、表示情報作成部２１４と、出口エラー通知部２１５と、搭乗便特定部２１６と、サービス券情報特定部２１７と、情報受付部２１８とを備える。
【００３６】
データベース更新部２１１は、記憶部２２０に格納された乗客データベース２２１、タグデータベース２２２、購買履歴データベース２２３、リーダー設置データベース２２４等の情報を更新する。
【００３７】
タグ情報作成部２１２は、タグ発行システム１０の情報取得部１２１が受け付けた顧客に対して、顧客タグ特定情報及び荷物タグ特定情報を作成する。タグ情報作成部２１２は、作成した顧客タグ特定情報及び荷物タグ特定情報をタグ発行システム１０の情報処理装置１００に送信する。
【００３８】
接近検知部２１３は、ピックアップシステム３０から送信された情報及び記憶部２２０に格納されたリーダー設置データベース２２４等を用いて、顧客タグを持つ顧客に対して該顧客が預けた荷物が接近したことを検知する。
【００３９】
表示情報作成部２１４は、ピックアップシステム３０から送信された情報及びリーダー設置データベース２２４等を用いて、ピックアップシステム３０のターンテーブル３１０が備えるディスプレイに表示する情報を作成する。
【００４０】
出口エラー通知部２１５は、出口ゲートシステム４０から送信された情報及び記憶部２２０に格納されたタグデータベース２２２等を用いて、顧客が荷物を取り忘れたことを示す荷物取り忘れ情報、又は顧客が荷物を取り違えたことを示す荷物取り違え情報を作成する。出口エラー通知部２１５は、作成した荷物取り忘れ情報又は荷物取り違え情報を、出口ゲートシステム４０の情報処理装置４００に通知する。荷物取り忘れ情報が通知されることは、顧客が預けた荷物を取り忘れたまま出口ゲートを通過したことを意味する。荷物取り違え情報が通知されることは、顧客等が他の顧客の荷物を持って出口ゲートを通過したことを意味する。
【００４１】
搭乗便特定部２１６は、店舗システム５０から送信された顧客タグ特定情報を用いて乗客データベース２２１を参照し、顧客が搭乗する航空機や車両を示す情報を特定する。
【００４２】
サービス券情報特定部２１７は、タグ発行システム１０から送信された顧客特定情報及び記憶部２２０に格納された購買履歴データベース２２３等を用いて、顧客に発行するサービス券に関する情報を特定する。
【００４３】
情報受付部２１８は、ピックアップシステム３０が備える情報処理装置３００や、出口ゲートシステム４０が備える情報処理装置４００、及び店舗システム５０が備える情報処理装置５００から所定の情報を受信する。
【００４４】
記憶部２２０は、乗客データベース２２１、タグデータベース２２２、購買履歴データベース２２３、及びリーダー設置データベース２２４を含む。乗客データベース２２１は、タグ発行システム１０の情報取得部１２１が取得した顧客特定情報を含む、顧客に関連する情報を格納する。
【００４５】
タグデータベース２２２は、顧客タグ特定情報及び荷物タグ特定情報を関連づけて格納する。
【００４６】
購買履歴データベース２２３は、顧客が店舗にて商品を購入すると、該顧客を特定する情報と購入した商品を特定する情報とを関連付けた購入履歴を格納する。
【００４７】
また、リーダー設置データベース２２４は、ピックアップシステム３０のターンテーブル３１０が有する複数のタグリーダーの設置情報を格納する。タグリーダーの設置情報とは、タグリーダーの配列順又は設置位置を特定する情報と、タグリーダーを特定するリーダー特定情報とを対応させた情報である。
【００４８】
次に、ピックアップシステム３０について説明する。ピックアップシステム３０は、到着地に設置されたシステムであって、情報処理装置３００とターンテーブル３１０とを備える。情報処理装置３００はターンテーブル３１０とネットワーク等を介して接続されるＰＣ等の機器である。なお、ピックアップシステム３０は複数のターンテーブル３１０を有していてもよい。
【００４９】
ターンテーブル３１０は、顧客が預けた荷物を載置する搬送台、又はいわゆるバゲッジクレームである。ターンテーブル３１０は、載置された荷物を搬送するために所定の搬送方向に回転する。ターンテーブル３１０は、回転するテーブルに沿って設置された複数のタグリーダーを備える。また、ターンテーブル３１０は、顧客に荷物の接近を報知するための報知装置であるランプ及びディスプレイを備える。
【００５０】
情報処理装置３００は、制御部３２０と、記憶部３３０とを備える。制御部３２０は、情報処理装置３００における各処理を制御する。記憶部３３０は、制御部３２０による処理に必要な情報を格納する。
【００５１】
制御部３２０は、タグ情報取得部３２１と、テーブル側報知部３２２と、テーブル側送信部３２３と、表示画面出力部３２４とを備える。タグ情報取得部３２１は、ターンテーブル３１０に設置されたタグリーダーを用いた顧客タグ及び荷物タグの読み取りを制御する。
【００５２】
テーブル側報知部３２２は、データセンター２０の情報処理装置２００が備える接近検知部２１３により顧客と荷物との接近検知が通知された場合に、パトランプ、スピーカー又はディスプレイを用いて該顧客に対して行う報知を制御する。
【００５３】
テーブル側送信部３２３は、タグ情報取得部３２１により読み取られた顧客タグ特定情報と、荷物タグ特定情報との各々を、タグを読み取ったタグリーダーを特定するリーダー特定情報と対応させて、データセンター２０の情報処理装置２００に送信する。
【００５４】
表示画面出力部３２４は、データセンター２０の情報処理装置２００が備える表示情報作成部２１４が作成した表示情報に基づいて、ターンテーブル３１０に設置されたディスプレイに表示画面を出力する。
【００５５】
次に、出口ゲートシステム４０について説明する。出口ゲートシステム４０は、情報処理装置４００と、出口ゲート４１０とを備える。情報処理装置４００は出口ゲート４１０とネットワーク等を介して接続されるＰＣ等の機器である。なお、出口ゲートシステム４０は、出口ゲート４１０を複数有していてもよい。
【００５６】
出口ゲート４１０は、ターンテーブル３１０から荷物を受け取った顧客が外に出る際に通過するゲートであって、顧客タグ及び荷物タグを読み取るタグリーダーを備える。出口ゲート４１０は、顧客が荷物を取り忘れた際、又は顧客が荷物を取り違えた際に、顧客に荷物の取り忘れ又は取り違えを報知するためのディスプレイ及びスピーカーを備える。
【００５７】
情報処理装置４００は、制御部４２０と、記憶部４３０とを備える。制御部４２０は、
出口ゲート４１０を通過する際の顧客の荷物の取り忘れ又は取り違えを顧客に通知するための処理等、情報処理装置４００における各処理を制御する。記憶部４３０は、制御部４２０の処理に必要な情報を格納する。
【００５８】
制御部４２０は、出口側タグ情報取得部４２１と、出口側報知部４２２とを備える。出口側タグ情報取得部４２１は、出口に設置されたタグリーダーを用いた顧客タグ及び荷物タグの読み取りを制御する。出口側タグ情報取得部４２１は、タグリーダーにより読み取られた顧客タグ特定情報及び荷物タグ特定情報をデータセンター２０の情報処理装置２００に送信する。
【００５９】
出口側報知部４２２は、データセンター２０の情報処理装置２００が備える出口エラー通知部２１５により作成された荷物取り忘れ情報又は荷物取り違え情報に基づいて、顧客に対して荷物の取り忘れ又は取り違えを報知する。出口側報知部４２２は、出口ゲート４１０に設置されたディスプレイ及びスピーカーを用いて、顧客に対して報知を行う。
【００６０】
次に、店舗システム５０について説明する。店舗システム５０は、情報処理装置５００を備える。情報処理装置５００は、店舗システム５０における各処理を実行するＰＣ等の機器である。
【００６１】
情報処理装置５００は、タグリーダー５１０と、制御部５２０とを備える。タグリーダー５１０は、顧客タグを読み取る装置である。制御部５２０は、情報処理装置５００における各処理を制御する。制御部５２０は、顧客タグ情報取得部５２１と、搭乗便出力部５２２と、購入情報特定部５２３とを備える。
【００６２】
顧客タグ情報取得部５２１は、タグリーダー５１０による顧客タグの読み取りを制御する。顧客タグ情報取得部５２１は、タグリーダー５１０により読み取られた顧客タグ特定情報をデータセンター２０の情報処理装置２００に送信する。また、顧客タグ情報取得部５２１は、顧客タグを有する顧客が購入した商品を特定する商品特定情報及び購入個数を、顧客タグ特定情報と対応させて情報処理装置２００に送信する。
【００６３】
搭乗便出力部５２２は、搭乗便特定部２１６により特定された、搭乗便を特定する情報を取得する。搭乗便出力部５２２は、取得した搭乗便を特定する情報を出力する。なお、具体的には、搭乗便出力部５２２は、情報処理装置５００が備えるディスプレイに搭乗便を特定する情報を表示してもよいし、搭乗便を特定する情報を印刷してもよい。
【００６４】
購入情報特定部５２３は、顧客が購入する商品を特定する商品特定情報や、該商品の購入個数等、顧客が店舗においてした買い物に関する情報を特定する。
【００６５】
なお、上記の情報処理装置１００、情報処理装置２００、情報処理装置３００、情報処理装置４００、情報処理装置５００の機能構成は、理解を容易にするために、主な処理内容に応じて分類したものである。構成要素の分類の仕方や名称によって、本願発明が制限されることはない。情報処理装置１００、情報処理装置２００、情報処理装置３００、情報処理装置４００、情報処理装置５００の構成は、処理内容に応じて、さらに多くの構成要素に分類することもできる。また、１つの構成要素がさらに多くの処理を実行するように分類することもできる。
【００６６】
本実施形態の利用態様の概要は以下の通りである。顧客は出発地において搭乗手続きをする際に、パスポートや搭乗券等を提示し、チェックインカウンターに荷物を預ける。チェックインカウンターに設置されたタグ発行システム１０は、顧客タグ及び荷物タグを発行する。発行された顧客タグは顧客に渡され、荷物タグは預かった荷物に添付される。発行された顧客タグを特定する顧客タグ特定情報と、荷物タグを特定する荷物タグ特定情報とは、対応付けられてデータセンター２０の記憶部２２０に格納される。
【００６７】
顧客と荷物とは各々到着地まで輸送される。到着地において、ピックアップシステム３０のターンテーブル３１０近傍で、顧客タグを持つ顧客が荷物の運搬を待つ。ターンテーブル３１０には、同じ到着地に輸送された複数の荷物が載置され、テーブル上を一方向に流れる。ターンテーブル３１０が備えるタグリーダーは、周辺の顧客タグと、ターンテーブル３１０上を流れる荷物に添付された荷物タグとを読み取る。読み取られた顧客タグに係る顧客タグ特定情報と、荷物タグに係る荷物タグ特定情報は、随時データセンター２０の情報処理装置２００に送信される。
【００６８】
情報処理装置２００の表示情報作成部２１４は、送信された情報に基づいて表示情報を作成する。作成される表示情報とは、ターンテーブル３１０が備える複数のタグリーダーが荷物タグを読み取る経過を表示するものである。作成された表示情報はピックアップシステム３０における情報処理装置３００に送信される。ピックアップシステム３０では、送信された表示情報を用いて、ディスプレイに荷物の位置を示す画面を表示する。顧客は画面を見て、自分の荷物が手元に接近する状況を把握することができる。
【００６９】
また、情報処理装置２００の接近検知部２１３で顧客タグと荷物タグとの接近が検知されると、ピックアップシステム３０のテーブル側報知部３２２に通知される。テーブル側報知部３２２は、顧客タグを読み取ったタグリーダー近傍のパトランプを点灯させ、顧客に荷物の接近を報知する。また、テーブル側報知部３２２は、顧客タグを読み取ったタグリーダー近傍に指向させた音声をスピーカーから発生させ、顧客に荷物の接近を報知する。
【００７０】
預けた荷物をターンテーブル３１０から引き取った顧客は、荷物を持って出口ゲート４１０を通過する。出口ゲートシステム４０の情報処理装置４００は、出口ゲート４１０を通過する顧客が有する顧客タグに係る顧客タグ特定情報と、出口ゲート４１０を通過する荷物に添付された荷物タグに係る荷物タグ特定情報とを特定し、データセンター２０の情報処理装置２００に送信する。情報処理装置２００では、出口エラー通知部２１５が荷物の取り忘れ又は取り違えを監視しており、出口側報知部４２２に取り忘れ又は取り違えを特定する情報を通知する。
【００７１】
出口エラー通知部２１５により荷物取り忘れ情報又は荷物取り違え情報が通知されると、出口側報知部４２２は顧客に対して、荷物の取り忘れ又は取り違えを報知する。
【００７２】
また、顧客が空港に設置された免税店等で買い物をする際には、店舗システム５０の情報処理装置５００は、顧客が持つ顧客タグをタグリーダー５１０を用いて読み取る。読み取られた顧客タグに係る顧客タグ特定情報に基づいて、該顧客が搭乗する搭乗便が特定され、情報処理装置５００の搭乗便出力部５２２により搭乗便を特定する情報が出力される。
【００７３】
また、顧客が店舗にて購入した品物に関する情報は、データセンター２０の情報処理装置２００に格納される。該顧客は以降にタグ発行システム１０が接続されたチェックインカウンターで搭乗手続きを行う場合に、購入した品物に関連して発行されたクーポン等のサービス券を受け取ることができる。
【００７４】
次に、記憶部２２０に格納される各情報について説明する。
【００７５】
図２は、乗客データベース２２１の一例を示す図である。乗客データベース２２１には、乗客番号２２１ａ毎に、姓２２１ｂ、名２２１ｃ、便名２２１ｄ、座席２２１ｅ、旅券番号２２１ｆ、及び荷物数２２１ｇが対応付けられて格納される。乗客データベース２２１には、他に国籍、性別、搭乗日、出発時刻、出発地、到着地、又は顧客の住所等の情報が含まれてもよい。
【００７６】
乗客番号２２１ａは、タグ発行システム１０において受け付けられた各顧客に対して一意に定義付けられる識別情報である。姓２２１ｂ及び名２２１ｃは顧客の姓名である。便名２２１ｄは、顧客が搭乗する便搭乗便を特定する情報である。座席２２１ｅは、顧客が搭乗する機体又は車両において顧客が占める座席を特定する情報である。
【００７７】
旅券番号２２１ｆとは、顧客に対して発行されたパスポートに記載された番号である。荷物数２２１ｇは、顧客がチェックインカウンターに対して預けた荷物の個数を示す数値である。
【００７８】
図３は、タグデータベース２２２の一例を示す図である。タグデータベース２２２には、乗客番号２２２ａ毎に該乗客番号２２２ａにより特定される顧客に対して発行されたタグを特定する情報が格納される。タグデータベース２２２には、乗客番号２２２ａ、顧客タグ特定情報２２２ｂ、及び荷物タグ特定情報２２２ｃが格納される。
【００７９】
乗客番号２２２ａは顧客を特定する識別情報であって、乗客データベース２２１の乗客番号２２１ａと対応する。顧客タグ特定情報２２２ｂは、タグ発行システム１０において、乗客番号２２２ａにより特定される顧客に対して発行された顧客タグを特定する情報である。荷物タグ特定情報２２２ｃは、乗客番号２２２ａにより特定される顧客が預けた荷物に添付された荷物タグを特定する情報である。
【００８０】
なお、一人の顧客が複数の荷物を預けた場合は、一つの乗客番号２２２ａに対して複数の荷物タグ特定情報２２２ｃが対応付けられて、タグデータベース２２２に格納される。
【００８１】
図４は、購買履歴データベース２２３の一例を示す図である。購買履歴データベース２２３は、旅券番号２２３ａ、乗客番号２２３ｂ、購入日２２３ｃ、購入商品２２３ｄ、品数２２３ｅ、及び種別２２３ｆを含む。データベース更新部２１１は、店舗システム５０を有する店舗において商品が購入される毎に、情報を購買履歴データベース２２３に格納する。
【００８２】
旅券番号２２３ａは、顧客のパスポートに記載された番号であって、乗客データベース２２１の旅券番号２２１ｆと対応する。乗客番号２２３ｂは、顧客を特定する識別情報であって、乗客データベース２２１の乗客番号２２１ａと対応する。購入日２２３ｃは、乗客番号２２３ｂにより特定される顧客が商品を購入した日付である。購入商品２２３ｄは、顧客が購入した商品を特定する識別情報である。品数２２３ｅは、顧客により購入された購入商品の購入個数を示す数値である。種別２２３ｆは、購入商品が属する種別を特定する情報である。
【００８３】
図５は、リーダー設置データベース２２４の一例を示す図である。リーダー設置データベース２２４は、ピックアップシステム３０におけるターンテーブル３１０が有するタグリーダーに関する情報であって、リーダー設置情報ともいう。リーダー設置データベース２２４は、所在地２２４ａ、リーダー特定情報２２４ｂ、及び配列順２２４ｃを含む。
【００８４】
所在地２２４ａは、タグリーダーが設置された空港等の所在地を特定する情報である。所在地２２４ａは、タグリーダーが設置されるフロア数等、タグリーダーの属性を示す情報であってもよい。リーダー特定情報２２４ｂは、タグリーダーを特定する識別情報である。
【００８５】
配列順２２４ｃは、タグリーダーの設置順序を特定する情報である。配列順２２４ｃは、ターンテーブル３１０の回転方向に従って定められる。配列順２２４ｃは、ターンテーブル３１０が回転する所定の方向に従って漸次大きくなるよう、又は漸次小さくなるように定められている。タグリーダーは配列順２２４ｃに従って配列している。
【００８６】
なお、リーダー設置データベース２２４は、配列順２２４ｃに代えて、タグリーダーの位置情報を含むものであってもよい。位置情報とは、例えばタグリーダーが設置された位置の座標を示す情報であってもよいし、所定のタグリーダーを基準とした他の所定のタグリーダーまでの距離を示す情報であってもよい。
【００８７】
図６は、情報処理装置２００のハードウェア構成例を示す図である。情報処理装置２００は、ＣＰＵ２３１と、ＲＡＭ２３２と、不揮発性メモリ２３３と、表示装置２３４と、入力装置２３５と、ネットワークＩ／Ｆ２３６とを備える。
【００８８】
ＣＰＵ２３１は中央演算装置であり、ＲＡＭ２３２又は不揮発性メモリ２３３に記憶されたプログラムに従って処理を実行する。情報処理装置２００では、ＲＡＭ２３２又は不揮発性メモリ２３３上に読み出されたプログラムに従って動作するＣＰＵ２３１により処理が行われる。
【００８９】
ＲＡＭ２３２は記憶装置であり、プログラムやデータが一時的に読み出される記憶エリアとして機能する。不揮発性メモリ２３３は、プログラムや各種データの格納先として用いられる。記憶部２２０は、ＲＡＭ２３２又は不揮発性メモリ２３３によってその機能が実現される。
【００９０】
表示装置２３４は、ＬＣＤ（Liquid Crystal Display）等のディスプレイである。入力装置２３５は、ユーザーからの入力操作を受け付ける装置であり、タッチパネル又はハードウェアボタン等である。ネットワークＩ／Ｆ２３６は、情報処理装置２００をネットワーク７０に接続するためのインターフェイスである。
【００９１】
なお、情報処理装置２００の各構成要素の処理は、１つのハードウェアで実行されてもよいし、複数のハードウェアで実行されてもよい。また、情報処理装置２００の各構成要素の処理は、１つのプログラムで実現されてもよいし、複数のプログラムで実現されてもよい。
【００９２】
また、タグ発行システム１０は情報処理装置１００を備えるが、情報処理装置１００のハードウェア構成は情報処理装置２００のハードウェア構成と同様である。そのため、情報処理装置１００のハードウェア構成については説明を省略する。
【００９３】
図７は、ピックアップシステム３０のハードウェア構成例を示す図である。ピックアップシステム３０は、情報処理装置３００と、ターンテーブル３１０とを備える。情報処理装置３００は情報処理装置２００のハードウェア構成と同様であるため、説明を省略する。なお、本図ではピックアップシステム３０について一つのターンテーブル３１０を図示しているが、前述した通り、ピックアップシステム３０は複数のターンテーブル３１０を有していてもよい。
【００９４】
ターンテーブル３１０は、パトランプ３１１、テーブル側タグリーダー３１２、ディスプレイ３１３、及びスピーカー３１４を備える。パトランプ３１１は、顧客に対して荷物の接近を報知するランプであって、顧客に対して荷物の接近が検知された場合に点灯又は点滅して発光状態を変化させる。
【００９５】
テーブル側タグリーダー３１２は、顧客タグ及び荷物タグを無線により読み取るアンテナである。テーブル側タグリーダー３１２は、テーブルに沿って複数設置され、周囲に対し問い合わせの電波を送信している。テーブル側タグリーダー３１２は、一定距離内に存在する顧客タグ又は荷物タグから、問い合わせに対する応答を受信する。
【００９６】
テーブル側タグリーダー３１２は、ターンテーブル３１０上を流れる荷物に添付された荷物タグが一定距離内に存在する場合に、荷物タグからの応答を受信する。また、テーブル側タグリーダー３１２は、ターンテーブル３１０から一定距離内に存在する顧客が有する顧客タグからの応答を受信する。
【００９７】
ディスプレイ３１３は、ＬＣＤ等の表示装置であって、ターンテーブル３１０上における顧客の荷物の位置を示す情報を表示する。ディスプレイ３１３は、ターンテーブル３１０に対して一つ又は複数設置され、顧客の荷物の位置をインジケーターを用いて表示する。スピーカー３１４は、顧客に対して音声を発することによって荷物の接近を報知する出力装置であって、荷物の接近が検知された場合に、検知された荷物の持ち主である顧客に指向させた警告音又は「荷物が近づいてきました」等の音声を発し、顧客に対して報知を行う。なお、スピーカー３１４は、一つでも複数でもよい。
【００９８】
図８は、出口ゲートシステム４０のハードウェア構成例を示す図である。出口ゲートシステム４０は、情報処理装置４００と出口ゲート４１０とを備える。情報処理装置４００は情報処理装置２００のハードウェア構成と同様であるため、説明を省略する。なお、本図では一つの出口ゲートシステム４０が一つの出口ゲート４１０を備えるよう図示しているが、出口ゲートシステム４０は複数の出口ゲート４１０を有していてもよい。
【００９９】
出口ゲート４１０は、ディスプレイ４１１と、出口側タグリーダー４１２と、スピーカー４１３とを備える。ディスプレイ４１１は、ＬＣＤ等の表示装置であって、荷物の取り忘れや取り違えが検知された場合に、出口ゲート４１０を通過した顧客に対して取り忘れ又は取り違えがあった旨を表示し、報知を行う。
【０１００】
出口側タグリーダー４１２は、顧客タグ及び荷物タグを無線により読み取るアンテナである。出口側タグリーダー４１２は周囲に対して問い合わせの電波を送信しており、出口ゲート４１０を通過する顧客の有する顧客タグ及び該顧客が持つ荷物に添付された荷物タグからの応答を受信する。
【０１０１】
スピーカー４１３は、顧客に対して音声を発生する出力装置であって、荷物の取り忘れ又は取り違えがあった際に、その旨を示す音声を出力して顧客に対し報知する。
【０１０２】
また、店舗システム５０は情報処理装置５００を備えるが、情報処理装置５００のハードウェア構成は情報処理装置２００のハードウェア構成と同様である。そのため、情報処理装置５００のハードウェア構成については説明を省略する。
【０１０３】
図９は、タグ作成処理を示すフローチャートである。
【０１０４】
情報取得部１２１は、顧客を特定する顧客特定情報を受け付ける（ステップＳ１１）。顧客がチェックインカウンターに提示した搭乗券やパスポート等に基づいて、情報処理装置１００が備える入力装置を介して、顧客の姓、名、便名等の情報がオペレーターにより入力される。情報取得部１２１は、入力装置から入力された情報に基づいて、顧客特定情報を受け付ける。
【０１０５】
次に、情報取得部１２１は、顧客から預かる預かり荷物の個数を特定する情報を受け付ける（ステップＳ１２）。顧客が預ける荷物をチェックインカウンターに提出すると、入力装置から荷物の個数が入力される。情報取得部１２１は、入力された荷物の個数を取得する。
【０１０６】
次に、データベース更新部２１１は、乗客データベース２２１を更新する（ステップＳ１３）。具体的には、情報取得部１２１は取得した顧客の姓、名、便名等の情報と預かり荷物の個数とを情報処理装置２００に送信する。データベース更新部２１１は、新たに乗客番号２２１ａを作成し、情報取得部１２１により送信された情報を対応させて乗客データベース２２１に格納する。
【０１０７】
次に、タグ情報作成部２１２は、乗客データベース２２１に基づいて、顧客タグ特定情報及び荷物タグ特定情報を作成する（ステップＳ１４）。この際、タグ情報作成部２１２は、一つの乗客番号２２１ａに対して一つの顧客タグ特定情報を作成し、荷物数２２１ｇに応じた数の荷物タグ特定情報を作成する。なお、この処理はステップＳ１３に先立って行われてもよい。
【０１０８】
次に、タグ情報作成部２１２は、作成した顧客タグ特定情報及び荷物タグ特定情報をタグ発行システム１０の情報処理装置１００に送信する（ステップＳ１５）。
【０１０９】
次に、データベース更新部２１１は、タグデータベース２２２を更新する（ステップＳ１６）。具体的には、タグデータベース２２２に乗客データベース２２１に格納された乗客番号と同じ乗客番号２２２ａを格納し、タグ情報作成部２１２により作成された顧客タグ特定情報と荷物タグ特定情報とを対応させて格納する。なお、この処理はステップＳ１５に先立って行われてもよい。
【０１１０】
次に、タグ／サービス券出力部１２２が、顧客タグと荷物タグとを出力する（ステップＳ１７）。具体的には、タグ／サービス券出力部１２２は、タグ情報作成部２１２により送信された顧客タグ特定情報及び荷物タグ特定情報に基づいて、プリンター１１０に対して顧客タグ特定情報が格納された顧客タグ及び荷物タグ格納情報が格納された荷物タグを印字させる。その後、情報処理装置１００は処理を終了する。
【０１１１】
（ピックアップシステム３０）
【０１１２】
図１０は、ピックアップシステム３０において荷物の接近を報知する処理を示すフローチャートである。該処理は、タグ発行システム１０において発行された顧客タグを有する顧客、及び荷物タグが添付された荷物が到着地に到着した場面で実行される。
【０１１３】
タグ情報取得部３２１は、テーブル側タグリーダー３１２を用いて顧客タグ又は荷物タグを読み取る（ステップＳ２１）。具体的には、顧客がターンテーブル３１０近傍に到着し、テーブル側タグリーダー３１２から一定範囲内に立つと、タグ情報取得部３２１は、顧客が有する顧客タグからテーブル側タグリーダー３１２への応答電波に基づいて、顧客タグに格納された顧客タグ特定情報を読み取る。又は、タグ情報取得部３２１は、ターンテーブル３１０上を流れる荷物がテーブル側タグリーダー３１２から一定範囲内に流れてくると、荷物に添付された荷物タグに格納された荷物タグ特定情報を読み取る。
【０１１４】
次に、テーブル側送信部３２３は、タグ情報取得部３２１により読み取られた顧客タグ特定情報又は荷物タグ特定情報を、タグを読み取ったテーブル側タグリーダー３１２を特定するリーダー特定情報と対応させて、情報処理装置２００に送信する（ステップＳ２２）。
【０１１５】
情報処理装置２００では、情報受付部２１８により、テーブル側送信部３２３から送信された情報が受信される。接近検知部２１３は、受信した顧客タグ特定情報又は荷物タグ特定情報と、リーダー特定情報とに基づいて、顧客と荷物との接近を検知する。接近の検知に関しては後述するが、顧客に対する荷物の接近を接近検知部２１３が検知した場合、接近検知部２１３は情報処理装置３００に対して接近検知情報を送信する。
【０１１６】
なお、接近検知情報には、荷物が接近した顧客の顧客タグを読み取ったテーブル側タグリーダー３１２を特定するリーダー特定情報が指定されている。接近検知部２１３は、顧客タグを読み取ったテーブル側タグリーダー３１２を特定するリーダー特定情報を、顧客タグリーダー特定情報として指定した接近検知情報を、情報処理装置３００に送信する。
【０１１７】
次に、テーブル側報知部３２２は、顧客タグリーダー特定情報を指定した接近検知情報を取得する（ステップＳ２３）。
【０１１８】
次に、テーブル側報知部３２２は、指定されたテーブル側タグリーダー３１２近傍のパトランプ３１１で報知する（ステップＳ２４）。具体的には、テーブル側報知部３２２は、接近検知情報において指定された顧客タグリーダー特定情報により特定されるテーブル側タグリーダー３１２近傍のパトランプ３１１を特定し、特定したパトランプ３１１を点灯させて顧客に荷物の接近を報知する。同様に、テーブル側報知部３２２は、スピーカー３１４を用いて「荷物が近づいています」等の音声を発生させてもよい。テーブル側報知部３２２は、指定されたテーブル側タグリーダー３１２近傍に指向させた音声をスピーカー３１４から発生させることができる。
【０１１９】
図１１は、ピックアップシステム３０の概要を示す図である。本図は、ターンテーブル３１０の近傍に、顧客タグを有する顧客６ａ、６ｂ、６ｃ、６ｄが位置している状態を示している。
【０１２０】
本図において、ターンテーブル３１０上を荷物タグが添付された荷物７ａ、７ｂ、７ｃが搬送される。ターンテーブル３１０近傍には、パトランプ３１１ａ、３１１ｂ、３１１ｃ、３１１ｄ、３１１ｅ、及び３１１ｆが設置されている。また、ターンテーブル３１０近傍には、テーブル側タグリーダー３１２ａ、３１２ｂ、３１２ｃ、３１２ｄ、３１２ｅ、及び３１２ｆが設置されている。他に、ターンテーブル３１０近傍には、スピーカー３１４ａ、３１４ｂ、３１４ｃ、３１４ｄ、３１４ｅ、及び３１４ｆが設置されている。
【０１２１】
例えばテーブル側タグリーダー３１２ｂが、顧客６ｂの有する顧客タグを読み取る。タグ情報取得部３２１は、顧客タグに格納された顧客タグ特定情報を、テーブル側タグリーダー３１２ｂを特定するリーダー特定情報と対応させて、情報処理装置２００に送信する。
【０１２２】
また、ターンテーブル３１０上を搬送される荷物７ｃに添付された荷物タグを、テーブル側タグリーダー３１２ｄが読み取る。タグ情報取得部３２１は、荷物タグを特定する荷物タグ特定情報を、テーブル側タグリーダー３１２ｃを特定するリーダー特定情報と対応させて、情報処理装置２００に送信する。
【０１２３】
情報処理装置２００の接近検知部２１３は、タグ情報取得部３２１から送信された顧客タグ特定情報と、荷物タグ特定情報とに基づいて、顧客に対する荷物の接近を検知する。接近検知部２１３は、荷物タグを読み取ったテーブル側タグリーダー３１２が、顧客タグを読み取ったテーブル側タグリーダー３１２から予め定められた所定範囲内にある場合に、顧客に対する荷物の接近を検知する。
【０１２４】
例えば、接近検知部２１３は、（ｉ）荷物タグを読み取ったテーブル側タグリーダー３１２が、顧客タグを読み取ったテーブル側タグリーダー３１２と同じか、または上流に存在すること、（ｉｉ）荷物タグを読み取ったテーブル側タグリーダー３１２と顧客タグを読み取ったテーブル側タグリーダー３１２の間のテーブル側タグリーダー３１２の本数が所定本数未満であること、以上の２つの条件を満たす場合に、顧客に対する荷物の接近を検知する。
【０１２５】
例えば、荷物７ｃが顧客６ｂの預けた荷物であって、上述の所定本数が２本未満である場合に接近が検知される場合について説明する。荷物タグを読み取ったテーブル側タグリーダー３１２ｂは、顧客タグを読み取ったテーブル側タグリーダー３１２ｄよりも上流に位置する。また、テーブル側タグリーダー３１２ｂとテーブル側タグリーダー３１２ｄとの間のテーブル側タグリーダー３１２の本数は１本である。従って、この場合には接近検知部２１３は、顧客６ｂに対する荷物７ｃの接近を検知する。
【０１２６】
この場合、接近検知部２１３は、顧客６ｂの顧客タグを読み取ったテーブル側タグリーダー３１２ｂを特定するリーダー特定情報を指定した接近検知情報を、情報処理装置３００に送信する。
【０１２７】
情報処理装置３００のテーブル側報知部３２２は、接近検知情報において指定されたリーダー特定情報に基づいて、テーブル側タグリーダー３１２ｂ近傍のパトランプ３１１ｂを特定する。テーブル側報知部３２２は、パトランプ３１１ｂを点灯させて、顧客６ｂに対して荷物の接近を報知する。また、テーブル側報知部３２２は、接近検知情報において指定されたリーダー特定情報に基づいて、指定されたテーブル側タグリーダー３１２ｂ近傍のスピーカー３１４ｂから音声を発生させて、顧客６ｂに対して報知を行う。
【０１２８】
本実施形態では、顧客はターンテーブル３１０上を搬送される複数の荷物の中から、自分の荷物が手元まで近づいてくることを認識することができる。そのため、顧客はターンテーブル３１０上を流れる荷物を絶えず見張っている必要がない。
【０１２９】
図１２は、接近検知部２１３の接近検知処理を示すフローチャート（その１）である。情報処理装置２００の情報受付部２１８がタグ情報取得部３２１から送信された顧客タグ特定情報又は荷物タグ特定情報を受信すると、処理が開始される。
【０１３０】
接近検知部２１３は、タグデータベース２２２を参照し、タグ情報取得部３２１から送信された情報が顧客タグ特定情報か荷物タグ特定情報かを判定する（ステップＳ３１）。
【０１３１】
接近検知部２１３が、タグ情報取得部３２１から送信された情報が顧客タグ特定情報であると判定した場合（ステップＳ３１において「顧客タグ特定情報」の場合）、接近検知部２１３は、顧客タグ特定情報と、顧客タグを読み取ったテーブル側タグリーダー３１２を特定するリーダー特定情報とを対応させて格納する（ステップＳ３２）。
【０１３２】
タグ情報取得部３２１から送信された顧客タグ特定情報には、顧客タグを読み取ったテーブル側タグリーダー３１２を特定するリーダー特定情報が対応付けられている。接近検知部２１３は、顧客タグを読み取ったテーブル側タグリーダー３１２を特定するリーダー特定情報を、顧客タグリーダー特定情報として特定する。接近検知部２１３は、対応する顧客タグ特定情報と顧客タグリーダー特定情報とを、記憶部２２０の顧客タグ格納領域に一時的に格納する。その後、接近検知部２１３は処理を終了する。
【０１３３】
なお、記憶部２２０の顧客タグ格納領域に記憶された顧客タグ特定情報は、格納から所定時間経過後に自動的に消去される。
【０１３４】
接近検知部２１３が、タグ情報取得部３２１から送信された情報が荷物タグ特定情報であると判定した場合（ステップＳ３１において「荷物タグ特定情報」の場合）、接近検知部２１３は、対応する顧客タグ特定情報を特定する（ステップＳ３３）。具体的には、接近検知部２１３はタグ情報取得部３２１から送信された荷物タグ特定情報を用いてタグデータベース２２２を参照し、該荷物タグ特定情報２２２ｃと対応する顧客タグ特定情報２２２ｂを特定する。
【０１３５】
次に、接近検知部２１３は、特定した顧客タグ特定情報が記憶部２２０の顧客タグ格納領域に格納されているか否かを判定する（ステップＳ３４）。特定した顧客タグ特定情報が記憶部２２０に格納されていない場合（ステップＳ３４において「ＮＯ」の場合）、テーブル側タグリーダー３１２により読み取られた荷物タグが添付された荷物の持ち主である顧客がテーブル側タグリーダー３１２近傍に存在しないため、処理を終了する。
【０１３６】
接近検知部２１３が、特定した顧客タグ特定情報が記憶部２２０の顧客タグ格納領域に格納されていると判定した場合（ステップＳ３４において「ＹＥＳ」の場合）、接近検知部２１３は、顧客タグ特定情報に対応付けられた顧客タグリーダー特定情報を特定する（ステップＳ３５）。具体的には、接近検知部２１３は記憶部２２０の顧客タグ格納領域のうち、特定した顧客タグ特定情報と対応付けられて格納されている顧客タグリーダー特定情報を特定する。
【０１３７】
次に、接近検知部２１３は、タグ情報取得部３２１から送信された荷物タグ特定情報と対応付けられたリーダー特定情報を特定する（ステップＳ３６）。具体的には、接近検知部２１３は、荷物タグ特定情報と対応付けられたリーダー特定情報である荷物タグリーダー特定情報を特定する。
【０１３８】
図１３は、接近検知部２１３の接近検知処理を示すフローチャート（その２）である。
【０１３９】
次に、接近検知部２１３は、荷物タグリーダー特定情報が顧客タグリーダー特定情報より所定数上流のものであるか否かを判定する（ステップＳ３７）。具体的には、接近検知部２１３は、ステップＳ３５において特定された、顧客タグ特定情報と対応付けられたリーダー特定情報と、ステップＳ３６において特定された、荷物タグ特定情報と対応付けられたリーダー特定情報とを用いて、リーダー設置データベース２２４を参照する。
【０１４０】
接近検知部２１３は、リーダー設置データベース２２４において、顧客タグ特定情報と対応付けられたリーダー特定情報２２４ｂと対応する配列順２２４ｃと、荷物タグ特定情報と対応付けられたリーダー特定情報２２４ｂと対応する配列順２２４ｃとが所定の関係にある場合に、顧客タグ特定情報に係る顧客に対する荷物タグ特定情報に係る荷物の接近を検知する。なお、前述した通り、配列順はテーブル側タグリーダー３１２の設置順序を示す。テーブル側タグリーダー３１２は、テーブルが荷物を移動させる順序に従った配列順に設置される。
【０１４１】
具体的には、接近検知部２１３は、（ｉ）荷物タグを読み取ったテーブル側タグリーダー３１２が、顧客タグを読み取ったテーブル側タグリーダー３１２と同じか、または上流に存在すること、（ｉｉ）荷物タグを読み取ったテーブル側タグリーダー３１２と顧客タグを読み取ったテーブル側タグリーダー３１２の間のテーブル側タグリーダー３１２の本数が所定本数未満であること、以上の２つの条件を満たすか否かを判定する。
【０１４２】
なお、接近検知部２１３は、荷物タグを読み取ったテーブル側タグリーダー３１２を特定する荷物タグリーダー特定情報の配列順２２４ｃが、顧客タグを読み取ったテーブル側タグリーダー３１２を特定する顧客タグリーダー特定情報の配列順２２４ｃよりも若い数である場合に、荷物タグリーダー特定情報に係るテーブル側タグリーダー３１２が上流であると判断してもよい。逆に、接近検知部２１３は、荷物タグリーダー特定情報の配列順２２４ｃが顧客タグリーダー特定情報の配列順２２４ｃよりも大きい数である場合に、荷物タグリーダー特定情報に係るテーブル側タグリーダー３１２が上流であると判断してもよい。
【０１４３】
例えばリーダー設置データベース２２４では、配列順２２４ｃが若くなるにつれ、リーダー特定情報２２４ｂに係るテーブル側タグリーダー３１２が上流に設置されるよう、配列順２２４ｃが定められている。接近検知部２１３は、配列順２２４ｃに基づいて、荷物タグを読み取ったテーブル側タグリーダー３１２が、顧客タグを読み取ったテーブル側タグリーダーよりも上流に存在するか否かを判定する。
【０１４４】
また、接近検知部２１３は、配列順２２４ｃに基づいて、荷物タグ特定情報と対応付けられたリーダー特定情報２２４ｂと、顧客タグ特定情報と対応付けられたリーダー特定情報２２４ｂとの間のテーブル側タグリーダーの数が所定数未満であるか否かを判定する。例えば接近検知部２１３は、荷物タグを読み取ったテーブル側タグリーダー３１２と、顧客タグを読み取ったテーブル側タグリーダー３１２との間のテーブル側タグリーダー３１２の本数が、２本未満であるか否かを判定する。
【０１４５】
従って、接近検知部２１３は、荷物タグを読み取ったテーブル側タグリーダー３１２から、顧客タグを読み取ったテーブル側タグリーダー３１２までの間の、配列順において順方向のテーブル側タグリーダーの本数に基づいて、顧客タグに対して荷物タグが接近したことを検知する。
【０１４６】
接近検知部２１３は、荷物タグに係るリーダー特定情報が、顧客タグに係るリーダー特定情報よりも所定数上流のものでないと判定した場合（ステップＳ３７において「ＮＯ」の場合）、処理を終了する。
【０１４７】
接近検知部２１３が、荷物タグに係るリーダー特定情報が、顧客タグに係るリーダー特定情報よりも所定数上流のものであると判定した場合（ステップＳ３７において「ＹＥＳ」の場合）、接近検知部２１３は、顧客タグリーダー特定情報を指定した接近検知情報を作成する（ステップＳ３８）。具体的には、接近検知部２１３は、記憶部２２０の顧客タグ格納領域において顧客タグ特定情報と対応付けられて格納されているリーダー特定情報を指定して、接近を検知したことを示す接近検知情報を作成する。
【０１４８】
次に、接近検知部２１３は、作成した接近検知情報を情報処理装置３００に送信する（ステップＳ３９）。
【０１４９】
なお、本実施形態では、リーダー設置データベース２２４に格納された配列順２２４ｃに基づいて、荷物タグを読み取ったテーブル側タグリーダー３１２が顧客タグを読み取ったテーブル側タグリーダー３１２から所定範囲にあるか否かを判定した。しかしながら、例えば荷物タグを読み取ったテーブル側タグリーダー３１２と顧客タグを読み取ったテーブル側タグリーダー３１２との距離を算出することにより、各々のテーブル側タグリーダー３１２が所定範囲にあるか否かを判定してもよい。
【０１５０】
本実施形態により、顧客タグを有する顧客の荷物が接近していることを自動的に検知し、顧客に報知することができる。
【０１５１】
（ピックアップシステム３０の変形例）
【０１５２】
次に、ピックアップシステム３０の変形例について説明する。以下、上述の実施形態と相違する点を中心に説明し、同様の点については説明を省略する。
【０１５３】
図１４は、ピックアップシステム３０の変形例の概要を示す図である。本変形例では、ディスプレイ３１３に顧客の荷物の位置を示すインジケーターを表示することで、顧客に対し荷物の接近を報知する。
【０１５４】
ディスプレイ３１３は、座席番号３１３ａと、インジケーター３１３ｂとを含む。ピックアップシステム３０のタグ情報取得部３２１が、顧客が有する顧客タグに格納された顧客タグ特定情報を読み取ると、読み取られた顧客タグ特定情報がデータセンター２０の情報処理装置２００に送信される。情報処理装置２００の表示情報作成部２１４は、受信した顧客タグ特定情報を用いて乗客データベース２２１を参照し、座席２２１ｅを表示した表示情報を作成してピックアップシステム３０の情報処理装置３００に送信する。表示画面出力部３２４は、座席番号３１３ａを表示した表示画面をディスプレイ３１３に出力する。
【０１５５】
タグ情報取得部３２１が荷物タグに係る荷物タグ特定情報を読み取ると、テーブル側送信部３２３は、荷物タグ特定情報を、荷物タグを読み取ったテーブル側タグリーダー３１２を特定するリーダー特定情報と対応させて情報処理装置２００に送信する。表示情報作成部２１４は、タグデータベース２２２を参照して荷物タグ特定情報２２２ｃと対応する乗客番号２２２ａを特定し、ディスプレイ３１３の座席番号３１３ａと対応するインジケーター３１３ｂを表示する表示情報を作成する。
【０１５６】
インジケーターは、複数のタグ情報取得部３２１が順次荷物タグを読み取る経過を示す経過情報であって、顧客を特定する座席番号３１３ａ毎に、色の変化等によって荷物の接近を示す。インジケーターは、顧客を特定する座席番号３１３ａ毎に、該顧客の荷物に添付された荷物タグを読み取ったテーブル側タグリーダー３１２を特定するリーダー特定情報に基づいて、荷物タグの読み取り状況を表示し荷物の位置を視覚的に認識可能にする。
【０１５７】
例えば、顧客６ｂの座席番号３１３ａに対して、顧客６ｂの顧客タグを読み取ったテーブル側タグリーダー３１２ｂから上流に向かって３本目までのテーブル側タグリーダー３１２が荷物タグを未だ読み取っていない場合には、インジケーターを変化させない。３本目のテーブル側タグリーダー３１２ｅが顧客６ｂの荷物に係る荷物タグを読み取った場合には、インジケーターの１目盛り分の色を変化させる。２本目のテーブル側タグリーダー３１２ｄが該荷物タグを読み取った場合に、２目盛り分の色を変化させる。
【０１５８】
１本目のテーブル側タグリーダー３１２ｃを読み取った場合に、３目盛り分の色を変化させる。そして、顧客タグを読み取ったテーブル側タグリーダー３１２が該顧客の荷物タグを読み取った場合に、全ての目盛りの色を変化させる。このようにして、顧客が荷物の接近を随時確認できるように、インジケーターに荷物タグの読み取り状況を表示する。
【０１５９】
本変形例により、顧客はターンテーブル３１０上の荷物の位置を視覚的に把握することができる。
【０１６０】
（出口ゲートシステム４０）
【０１６１】
図１５は、出口エラー通知部２１５によるタグ対応処理を示すフローチャートである。出口ゲート４１０付近に設置された出口側タグリーダー４１２が顧客タグ又は荷物タグを読み取ると、出口側タグ情報取得部４２１が顧客タグ特定情報又は荷物タグ特定情報を特定する。特定された情報は出口側タグ情報取得部４２１によりデータセンター２０の情報処理装置２００に送信される。なお、送信される顧客タグ特定情報又は荷物タグ特定情報には、出口側タグリーダー４１２により読み取られた時間を示す情報が付加されている。
【０１６２】
情報受付部２１８は、出口側タグ情報取得部４２１から送信された情報を受け付ける（ステップＳ４１）。受け付けた情報は、顧客タグ特定情報か荷物タグ特定情報かのいずれかである。
【０１６３】
出口エラー通知部２１５は、顧客タグ特定情報か荷物タグ特定情報かを判定する（ステップＳ４２）。具体的には、出口エラー通知部２１５は、出口側タグ情報取得部４２１により送信された情報を用いてタグデータベース２２２を参照し、送信された情報が顧客タグ特定情報か荷物タグ特定情報かを判定する。
【０１６４】
出口エラー通知部２１５が、送信された情報が荷物タグ特定情報であると判定した場合（ステップＳ４２において「荷物タグ特定情報」の場合）、出口エラー通知部２１５は、対応する顧客タグ特定情報が格納されているか否かを判定する（ステップＳ４３）。具体的には、出口エラー通知部２１５は、受信した荷物タグ特定情報とタグデータベース２２２において対応する顧客タグ特定情報が、記憶部２２０の出口情報格納領域に格納されているか否かを判定する。なお、既に顧客タグ特定情報が出口ゲート４１０において読み取られている場合、該顧客タグ特定情報は記憶部２２０の出口情報格納領域に格納されている。
【０１６５】
出口エラー通知部２１５が、対応する顧客タグ特定情報が格納されていないと判定した場合（ステップＳ４３において「ＮＯ」の場合）、出口エラー通知部２１５は、受信した荷物タグ特定情報を記憶部２２０の出口情報格納領域に格納する（ステップＳ４４）。この際、出口エラー通知部２１５は、荷物タグ特定情報が読み取られた時間が分かるよう、荷物タグ特定情報に出口側タグリーダー４１２により読み取られた時間を示す付加情報を付加して出口情報格納領域に格納する。その後、処理をステップＳ４１に戻す。
【０１６６】
出口エラー通知部２１５が、対応する顧客タグ特定情報が格納されていると判定した場合（ステップＳ４３において「ＹＥＳ」の場合）、出口エラー通知部２１５は、すべての荷物タグ特定情報が存在するか否かを判定する（ステップＳ４５）。具体的には、出口エラー通知部２１５は、出口情報格納領域に格納されている顧客タグ特定情報とタグデータベース２２２において対応するすべての荷物タグ特定情報を受け付けたか否かを判定する。顧客タグ特定情報と対応する荷物タグ特定情報が複数ある場合、ステップＳ４２において受け付けた荷物タグ特定情報以外の荷物タグ特定情報が記憶部２２０の出口情報格納領域に存在するか否かを判定する。
【０１６７】
出口エラー通知部２１５が、すべての荷物タグ特定情報が存在すると判定しなかった場合（ステップＳ４５において「ＮＯ」の場合）、出口エラー通知部２１５は、受け付けた荷物タグ特定情報を記憶部２２０の出口情報格納領域に格納する（ステップＳ４６）。この際に、出口エラー通知部２１５は出口側タグリーダー４１２により読み取られた時間を示す付加情報を荷物タグ特定情報に付加して出口情報格納領域に格納する。さらに対応する荷物タグ特定情報を受け付ける可能性があるため、その後出口エラー通知部２１５は処理をステップＳ４１に戻す。
【０１６８】
出口エラー通知部２１５が、すべての荷物タグ特定情報が存在すると判定した場合（ステップＳ４５において「ＹＥＳ」の場合）、出口エラー通知部２１５は、顧客タグ特定情報、及び対応する荷物タグ特定情報を出口情報格納領域から消去する（ステップＳ４７）。その後、出口エラー通知部２１５は処理を終了する。
【０１６９】
出口エラー通知部２１５が、出口側タグ情報取得部４２１から送信された情報が顧客タグ特定情報であると判定した場合（ステップＳ４２において「顧客タグ特定情報」の場合）、出口エラー通知部２１５は、対応するすべての荷物タグ特定情報が格納されているか否かを判定する（ステップＳ４８）。具体的には、出口エラー通知部２１５は出口側タグ情報取得部４２１から送信された顧客タグ特定情報を用いてタグデータベース２２２を参照し、該顧客タグ特定情報と対応するすべての荷物タグ特定情報が記憶部２２０の出口情報格納領域に格納されているか否かを判定する。
【０１７０】
出口エラー通知部２１５が、対応するすべての荷物タグ特定情報が出口情報格納領域に格納されていると判定した場合（ステップＳ４８において「ＹＥＳ」の場合）、出口エラー通知部２１５は、顧客タグ特定情報と、対応するすべての荷物タグ特定情報とを消去する（ステップＳ４９）。その後、出口エラー通知部２１５は処理を終了する。
【０１７１】
出口エラー通知部２１５が、対応するすべての荷物タグ特定情報が格納されていないと判定した場合（ステップＳ４８において「ＮＯ」の場合）、出口エラー通知部２１５は、出口側タグ情報取得部４２１から送信された顧客タグ特定情報を記憶部２２０の出口情報格納領域に格納する（ステップＳ５０）。この際、出口エラー通知部２１５は出口側タグリーダー４１２により読み取られた時間を示す付加情報を顧客タグ特定情報に付加して出口情報格納領域に格納する。その後、出口エラー通知部２１５はステップＳ４１に処理を戻す。
【０１７２】
次に、出口エラー通知部２１５による出口エラー通知処理について説明する。出口エラー通知部２１５は、タグ対応処理の結果、予め定められた所定時間を超えて出口情報格納領域に格納された情報があった場合に、取り忘れを示す荷物取り忘れ情報又は取り違えを示す荷物取り違え情報を作成して、出口ゲートシステム４０における情報処理装置４００に対して通知する。
【０１７３】
図１６は、出口エラー通知部２１５による出口エラー通知処理を示すフローチャートである。出口エラー通知部は、本処理を定期的に実行する。
【０１７４】
出口エラー通知部２１５は、出口情報格納領域に、予め定められた所定時間を超える顧客タグ特定情報があるか否かを判定する（ステップＳ５１）。出口情報格納領域に顧客タグ特定情報が格納されている場合、顧客タグ特定情報には格納した時間を示す付加情報が付加されている。出口エラー通知部２１５は該付加情報を参照して、顧客タグ特定情報が読み取られてから所定時間が経過したか否かを判定する。
【０１７５】
出口エラー通知部２１５が、所定時間を超えた顧客タグ特定情報が存在すると判定した場合（ステップＳ５１において「ＹＥＳ」の場合）、出口エラー通知部２１５は、顧客タグ特定情報と対応する乗客番号の座席を特定する（ステップＳ５２）。具体的には、出口エラー通知部２１５はタグデータベース２２２を参照し、顧客タグ特定情報２２２ｂと対応する乗客番号２２２ａを特定する。出口エラー通知部２１５は乗客データベース２２１を参照し、特定した乗客番号と同じ乗客番号２２１ａと対応する座席２２１ｅを特定する。
【０１７６】
次に、出口エラー通知部２１５は、特定した座席番号を指定した荷物取り忘れ情報を作成する（ステップＳ５３）。荷物取り忘れ情報とは、顧客が預けた荷物のうち少なくとも一つを取り忘れていることを示す情報である。
【０１７７】
次に、出口エラー通知部２１５は、作成した荷物取り忘れ情報を出口ゲートシステム４０の情報処理装置４００に送信する（ステップＳ５４）。その後、出口エラー通知部２１５は処理を終了する。
【０１７８】
なお、情報処理装置４００の出口側報知部４２２は、受信した荷物取り忘れ情報に基づいて、座席番号と、荷物の取り忘れがある旨を表示する表示画面を作成する。出口側報知部４２２は、作成した表示画面をディスプレイ４１１に表示する。また、出口側報知部４２２は、スピーカー４１３を用いて取り忘れを報知する音声を出力する。
【０１７９】
出口エラー通知部２１５が、所定時間を超えた顧客タグ特定情報が存在しないと判定した場合（ステップＳ５１において「ＮＯ」の場合）、出口エラー通知部２１５は、予め定められた所定時間を超える荷物タグ特定情報が出口情報格納領域にあるか否かを判定する（ステップＳ５５）。出口エラー通知部２１５が、出口情報格納領域に所定時間を超える荷物タグ特定情報が存在しないと判定した場合（ステップＳ５５において「ＮＯ」の場合）、出口エラー通知部２１５は処理を終了する。
【０１８０】
出口エラー通知部２１５が、所定時間を超える荷物タグ特定情報が出口情報格納領域にあると判定した場合（ステップＳ５５において「ＹＥＳ」の場合）、出口エラー通知部２１５は、荷物取り違え情報を作成する（ステップＳ５６）。具体的には、出口エラー通知部２１５は、荷物の取り違えがあったことを示す情報を作成する。
【０１８１】
次に、出口エラー通知部２１５は、作成した荷物取り違え情報を出口ゲートシステム４０の情報処理装置４００に送信する（ステップＳ５７）。その後、出口エラー通知部２１５は処理を終了する。
【０１８２】
なお、情報処理装置４００の出口側報知部４２２は、荷物取り違え情報を受信すると、荷物の取り違えがあった旨を報知する表示画面を作成する。出口側報知部４２２は、作成した表示画面をディスプレイ４１１に表示する。また、出口側報知部４２２は、スピーカー４１３を用いて取り違えを報知する音声を出力する。
【０１８３】
本実施形態では、データセンター２０の情報処理装置２００が荷物取り忘れ情報又は荷物取り違え情報を作成して出口ゲートシステム４０の情報処理装置４００に送信した。その後、情報処理装置４００は、受信した荷物取り忘れ情報又は荷物取り違え情報に基づいて表示画面を作成した。この点について、情報処理装置２００の出口エラー通知部２１５が表示画面を作成し、作成した表示画面を情報処理装置４００に送信することとしてもよい。
【０１８４】
また、情報処理装置４００に係員を配置し、表示装置に表示された荷物取り違え情報に基づいて顧客を制止することで、荷物の盗難を防止することができる。
【０１８５】
本実施形態により、荷物の取り忘れ又は取り違えを効率的に検出することができる。また、取り忘れ又は取り違えがあったことを顧客に対し報知することができる。
【０１８６】
（店舗システム５０）
【０１８７】
次に、店舗システム５０において行われる処理について説明する。現在、免税店等において買い物をする際に、搭乗券の提示を求められることがある。本実施形態では、店舗に設置されたタグリーダーが顧客タグを読みとることで搭乗券の提示を省略することができる。
【０１８８】
図１７は、店舗システム５０における搭乗便情報出力処理の流れを示すシーケンス図である。
【０１８９】
店舗システム５０における情報処理装置５００の顧客タグ情報取得部５２１は、顧客タグを読み取る（ステップＳ６１）。具体的には、顧客タグ情報取得部５２１は、情報処理装置５００が備えるタグリーダー５１０を用いて、顧客が持つ顧客タグを読み取る。顧客タグ情報取得部５２１は、タグリーダー５１０により読み取られた顧客タグを特定する顧客タグ特定情報を特定する。
【０１９０】
次に、顧客タグ情報取得部５２１は、データセンター２０の情報処理装置２００に顧客タグ特定情報を送信する（ステップＳ６２）。情報処理装置２００の情報受付部２１８は、顧客タグ特定情報を受け付ける。
【０１９１】
次に、情報処理装置２００の搭乗便特定部２１６は、乗客データベース２２１を参照し、顧客タグ特定情報に対応する搭乗便情報を特定する（ステップＳ６３）。具体的には、搭乗便特定部２１６は、タグデータベース２２２において顧客タグ情報取得部５２１から受信した顧客タグ特定情報２２２ｂと対応する乗客番号２２２ａを特定し、乗客データベース２２１のうち特定した乗客番号と一致する乗客番号２２１ａと対応する便名２２１ｄを搭乗便情報として特定する。
【０１９２】
次に、搭乗便特定部２１６は、搭乗便情報を情報処理装置５００に送信する（ステップＳ６４）。
【０１９３】
次に、搭乗便出力部５２２は、搭乗便特定部２１６から送信された搭乗便情報を出力する（ステップＳ６５）。搭乗便出力部５２２は、情報処理装置５００が備えるディスプレイに、搭乗便情報を出力する。
【０１９４】
なお、買い物の際にパスポートの提示を求められることがあるが、その場合にも同様に、乗客データベース２２１において顧客タグ特定情報と対応付けられた旅券番号２２１ｆを特定し、該顧客に関する情報を店舗システム５０に送信することで、パスポートの提示を省略することができる。
【０１９５】
本実施形態では、顧客が有する顧客タグを読み取ることにより、搭乗券やパスポートの提示を省略することができる。顧客が持つ顧客タグを自動的に読み取ることにより、これまで搭乗券の提示等に用いられていた時間を短縮することができ、店舗の混雑緩和に寄与することができる。
【０１９６】
次に、店舗システム５０において商品が購入された場合の購入情報更新処理について説明する。顧客が商品を購入する場合、店舗スタッフが店舗システム５０の情報処理装置５００に対し購入に関する情報を入力する。
【０１９７】
図１８は、購入情報更新処理の流れを示すシーケンス図である。
【０１９８】
まず、店舗システム５０の情報処理装置５００における顧客タグ情報取得部５２１は、顧客タグを読み取る（ステップＳ７１）。具体的には、顧客タグ情報取得部５２１は、情報処理装置５００が備えるタグリーダー５１０を用いて顧客タグを読み取り、読み取った顧客タグを特定する顧客タグ特定情報を特定する。なお、図１７において説明した搭乗便情報出力処理に引き続いて購入情報更新処理を行う場合には、ステップＳ６１において顧客タグを読み取っているため、本ステップにおける処理を省略することができる。
【０１９９】
次に、購入情報特定部５２３は、顧客が購入する商品を特定する情報と購入個数との入力を受け付ける（ステップＳ７２）。購入情報特定部５２３は、情報処理装置５００が備える入力装置を介して、商品を特定する情報である商品特定情報と購入個数との入力を受け付ける。
【０２００】
次に、購入情報特定部５２３は、入力を受け付けた商品特定情報と購入個数とを、データセンター２０の情報処理装置２００に送信する（ステップＳ７３）。情報処理装置２００の情報受付部２１８は、購入情報特定部５２３により送信された情報を受け付ける。
【０２０１】
次に、情報処理装置２００のデータベース更新部２１１は、商品特定情報に基づいて商品の属性を特定する（ステップＳ７４）。情報処理装置２００の記憶部２２０には、予め商品特定情報と該商品の種別とを対応させた情報が格納されている。データベース更新部２１１は、該情報に基づいて、購入情報特定部５２３から送信された商品特定情報がどの種別と対応付けられているかを特定する。
【０２０２】
次に、データベース更新部２１１は、購入情報特定部５２３により送信された顧客タグ特定情報に基づいて、顧客の旅券番号を特定する（ステップＳ７５）。具体的には、データベース更新部２１１は、送信された顧客タグ特定情報とタグデータベース２２２において対応する乗客番号２２２ａを特定し、乗客データベース２２１において該乗客番号２２１ａと対応する旅券番号２２１ｆを特定する。
【０２０３】
次に、データベース更新部２１１は、商品特定情報と購入個数と商品の種別とを購買履歴データベース２２３に格納する（ステップＳ７６）。具体的には、データベース更新部２１１は、特定した旅券番号を購買履歴データベース２２３に格納し、旅券番号２２３ａと対応させて乗客番号２２３ｂと、購入日２２３ｃと、購入商品２２３ｄと、品数２２３ｅと、種別２２３ｆとを格納する。その後、データベース更新部２１１は処理を終了する。
【０２０４】
次に、サービス券発行処理について説明する。
【０２０５】
図１９は、サービス券発行処理の流れを示すシーケンス図である。
【０２０６】
まず、チェックインカウンターの情報処理装置１００における情報取得部１２１は、顧客特定情報を取得する（ステップＳ８１）。前述したように、顧客特定情報とは、例えばパスポートに記載された旅券番号や、姓名、性別等の情報である。なお、図９において説明したタグ作成処理に引き続いて本処理を行う場合、ステップＳ１１において顧客特定情報を受け付けているため、本ステップにおける処理を省略することができる。
【０２０７】
次に、情報取得部１２１は、取得した顧客特定情報をデータセンター２０の情報処理装置２００に送信する（ステップＳ８２）。
【０２０８】
次に、情報処理装置２００におけるサービス券情報特定部２１７は、購買履歴データベース２２３を参照し、顧客の購買履歴を特定する（ステップＳ８３）。具体的には、サービス券情報特定部２１７は、情報取得部１２１から送信された旅券番号を用いて購買履歴データベース２２３を参照し、旅券番号２２３ａと対応する購入商品２２３ｄ、品数２２３ｅ、及び種別２２３ｆを特定する。
【０２０９】
情報処理装置２００の記憶部２２０には、予め購入商品及び品数に応じて発行するサービス券に関する情報が格納されている。サービス券は、例えば一つの商品を所定数購入した場合に、該商品と同じ種別に属する他の商品に関して所定の値引きを行うものであってもよい。また、サービス券は、購入商品に関わらず所定数以上の品数を購入している場合に、最も購入数の多い商品が属する種別に係る商品について、サンプル商品を提供するもの等であってもよい。
【０２１０】
次に、サービス券情報特定部２１７は、特定した購入商品、品数、種別を用いて記憶部２２０を参照し、サービス券情報を特定する（ステップＳ８４）。サービス券情報とは、顧客に対して提供するサービスの内容を特定する情報である。
【０２１１】
次に、サービス券情報特定部２１７は、特定したサービス券情報を情報処理装置１００に送信する（ステップＳ８５）。
【０２１２】
次に、情報処理装置１００のタグ／サービス券出力部１２２は、サービス券情報特定部２１７により送信されたサービス券情報を用いて、サービス券を出力する（ステップＳ８６）。タグ／サービス券出力部１２２は、例えばプリンター１１０を用いてサービス券を印字する。
【０２１３】
なお、本実施形態では、旅券番号を用いて購買履歴を参照したが、例えば顧客の姓、名、住所等に基づいて購買履歴を参照することとしてもよい。この場合、購買履歴データベース２２３は姓、名及び住所に対応させて購買履歴を格納する。
【０２１４】
また、本実施形態では、購入商品、品数及び種別に基づいてサービス券情報を特定したが、購入した金額に応じてサービス券情報を特定してもよい。この場合、店舗システム５０では顧客タグ特定情報と購入金額とを対応させて情報処理装置２００に送信する。また、購入履歴データベースは顧客を特定する情報と購入金額とを対応させて格納する。
【０２１５】
本実施形態により、購入した履歴に応じて顧客にサービス券を発行することができ、顧客の購買意欲を増進させることができる。
【０２１６】
以上、本発明に係る各実施形態及び変形例の説明を行ってきたが、本発明は、上記した実施形態の一例に限定されるものではなく、様々な変形例が含まれる。例えば、上記した実施形態の一例は、本発明を分かり易くするために詳細に説明したものであり、本発明は、ここで説明した全ての構成を備えるものに限定されない。また、ある実施形態の一例の構成の一部を他の一例の構成に置き換えることが可能である。また、ある実施形態の一例の構成に他の一例の構成を加えることも可能である。また、各実施形態の一例の構成の一部について、他の構成の追加・削除・置換をすることもできる。また、上記の各構成、機能、処理部、処理手段等は、それらの一部又は全部を、例えば集積回路で設計する等によりハードウェアで実現してもよい。また、図中の制御線や情報線は、説明上必要と考えられるものを示しており、全てを示しているとは限らない。ほとんど全ての構成が相互に接続されていると考えてもよい。
【符号の説明】
【０２１７】
１：荷物管理システム、１０：タグ発行システム、２０：データセンター、３０：ピックアップシステム、４０：出口ゲートシステム、５０：店舗システム、７０：ネットワーク、１００：情報処理装置、１１０：プリンター、１２０：制御部、１２１：情報取得部、１２２：出力部、１３０：記憶部、２００：情報処理装置、２１０：制御部、２１１：データベース更新部、２１２：タグ情報作成部、２１３：接近検知部、２１４：表示情報作成部、２１５：出口エラー通知部、２１６：搭乗便特定部、２１７：サービス券情報特定部、２１８：情報受信部、２２０：記憶部、２２１：乗客データベース、２２２：タグデータベース、２２３：購買履歴データベース、２２４：リーダー設置データベース、２３１：ＣＰＵ、２３２：ＲＡＭ、２３３：不揮発性メモリ、２３４：表示装置、２３５：入力装置、２３６：ネットワークＩ／Ｆ、３００：情報処理装置、３１０：ターンテーブル、３１１：パトランプ、３１２：テーブル側タグリーダー、３１３：ディスプレイ、３１４：スピーカー、３２０：制御部、３２１：タグ情報取得部、３２２：テーブル側報知部、３２３：テーブル側送信部、３２４：表示画面出力部、３３０：記憶部、４００：情報処理装置、４１０：出口ゲート、４１１：ディスプレイ、４１２：出口側タグリーダー、４１３：スピーカー、４２０：制御部、４２１：出口側タグ情報特定部、４２２：出口側報知部、４３０：記憶部、５００：情報処理装置、５２０：制御部、５２１：顧客タグ特定部、５２２：搭乗便出力部、５２３：購入情報特定部
【図１】
2014205563.tif 000003
【図２】
2014205563.tif 000004
【図３】
2014205563.tif 000005
【図４】
2014205563.tif 000006
【図５】
2014205563.tif 000007
【図６】
2014205563.tif 000008
【図７】
2014205563.tif 000009
【図８】
2014205563.tif 000010
【図９】
2014205563.tif 000011
【図１０】
2014205563.tif 000012
【図１１】
2014205563.tif 000013
【図１２】
2014205563.tif 000014
【図１３】
2014205563.tif 000015
【図１４】
2014205563.tif 000016
【図１５】
2014205563.tif 000017
【図１６】
2014205563.tif 000018
【図１７】
2014205563.tif 000019
【図１８】
2014205563.tif 000020
【図１９】
2014205563.tif 000021